(57)【要約】      （修正有）【課題】手をのばしてスイッチを作動させる必要がなく、放射光の調整可能なナイトランプを提供する。【解決手段】ナイトランプ１００は、主として、上部カバー１０、ベースリング３０、底部カバー５０および発光アセンブリ９０を有する。発光アセンブリ９０は、主として、制御装置７０、ランプビード７８およびバッテリー８０を有し、これらは互いに電気的に接続されている。上部カバー１０は、可撓性を有するシリコーン材料でできており、部分楕円体などの実質的に部分球体の形状をなす。ベースリング３０は、上部カバー１０および底部カバー５０と同時に係合するよう構成され、上部カバー１０の底部は、底部カバー５０の合わせ面に当接して、上部カバー１０と底部とにより球体が完成される。【選択図】図１
0003226750.tif 000002
【実用新案登録請求の範囲】
【請求項１】
第１中空部（１４）を画定するとともに、平らな底部（１５）を有する壁部（１３）を備えた、可撓性を有する部分球体状の上部カバー（１０）と、
リング体（３２）と、該リング体（３２）の第１の側に配置されたランプキャップ（３５）と、上記リング体（３２）の第２の側に配置された中空円筒（４０）とを有するベースリング（３０）と、
第２中空部（５４）を画定するとともに、合わせ面（６４）を有する部分球体状の底部カバー（５０）と、
発光アセンブリ（９０）と、を有し、
上記ベースリング（３０）は、上記上部カバー（１０）および上記底部カバー（５０）と同時に係合するよう構成され、上記上部カバー（１０）の上記底部（１５）は、上記底部カバー（５０）の上記合わせ面（６４）に当接して、上記上部カバー（１０）と上記底部（１５）とにより球体が完成され、
上記ベースリング（３０）の、上記リング体（３２）と上記ランプキャップ（３５）が上記第１中空部（１４）内に位置する一方、上記中空円筒（４０）は上記第２中空部（５４）内に位置し、上記発光アセンブリ（９０）は上記中空円筒（４０）内に位置していることを特徴とするナイトランプ（１００）。
【請求項２】
上記底部（１５）は、径方向内側に延在して、上記第１中空部（１４）内に環状係止溝（２８）を画定し、上記リング体（３２）は上記環状係止溝（２８）と係合していることを特徴とする、請求項１に記載のナイトランプ（１００）。
【請求項３】
上記底部（１５）には、上記底部（１５）を外側部分（１８）と内側部分（２０）とに分割する環状溝（１６）が形成されており、上記内側部分（２０）には互いに間隔をあけて複数の突起（２２）が設けられていることを特徴とする、請求項２に記載のナイトランプ（１００）。
【請求項４】
上記突起（２２）は上記底部（１５）より下方に延在し、付け根部には径方向内側に延在する円形の隆起（２５）を備えることを特徴とする、請求項３に記載のナイトランプ（１００）。
【請求項５】
上記ベースリング（３０）の上記中空円筒（４０）の外周には、径方向外側に突出する複数の舌片４２が設けられ、該舌片４２と上記リング体（３２）の間に環状凹部（３７）を形成し、
互いに隣り合う２つの上記舌片（４２）の間には、第１の歯状部（４６）が設けられ、各上記舌片（４２）には、対応する上記突起（２２）を通過させるためのノッチ（４４）が設けられていることを特徴とする、請求項４に記載のナイトランプ（１００）。
【請求項６】
上記底部カバー（５０）の上記合わせ面（６４）は、軸方向に延在するとともに、上記環状溝（１６）に入り込んで該環状溝と係合するよう構成された環状垂直壁（６２）を有し、
上記底部カバー（５０）の上記第２中空部（５４）には、複数の接続部材（５８）が設けられ、各接続部材（５８）は、弧状板材（５９）および該弧状板材（５９）を上記環状垂直壁（６２）とつなぐ複数のリブ（５７）を含み、該リブ（５７）、上記弧状板材（５９）および上記環状垂直壁（６２）によって上記突起（２２）を受け止める凹部（６５）を画定し、
各弧状板材（５９）の内側には、上記第１の歯状部４６と係合する第２の歯状部（６０）が配置されていることを特徴とする、請求項５に記載のナイトランプ（１００）。
【請求項７】
上記発光アセンブリ（９０）は、制御装置（７０）と、該制御装置（７０）に取り付けられたランプビード（７８）と、バッテリー（８０）とを含み、
上記底部カバー（５０）の上記第２中空部（５４）内には複数の支柱（５５）が設けられ、該支柱（５５）には上記制御装置（７０）が取り付けられ、上記バッテリー（８０）は上記支柱（５５）で画定される空間内に設置されていることを特徴とする、請求項１に記載のナイトランプ（１００）。
【請求項８】
上記制御装置（７０）は、上記底部カバー（５０）が下向きであるときには光を放たず、上記底部カバー（５０）が上向きであるときには光を放つように上記ランプビード（７８）を作動させるよう構成された、状態センサを含むことを特徴とする、請求項７に記載のナイトランプ（１００）。
【請求項９】
上記状態センサは、上記制御装置（７０）の第１の面に取り付けられた第１のフリップスイッチと、上記制御装置（７０）の上記第１の面と反対側の第２の面に取り付けられた第２のフリップスイッチとの２つのフリップスイッチ（８２）を有し、
上記第１のフリップスイッチは、上記底部カバー（５０）が下向きであるときには光を放たないように上記ランプビード（７８）を作動させるよう構成され、上記第２のフリップスイッチは、上記底部カバー（５０）が上向きであるときには光を放つように上記ランプビード（７８）を作動させるよう構成されていることを特徴とする、請求項８に記載のナイトランプ（１００）。
【請求項１０】
上記ランプキャップ（３５）は、上記上部カバー（１０）の内面（１２）と間隔をあけて配置されており、上記制御装置（７０）は、上記ランプキャップ（３５）を貫いて上記第１中空部（１４）に入り込むように延在する導電性バネ（７５）を含み、
上記上部カバー（１０）は、押されることにより上記導電性バネ（７５）と接触し、上記制御装置（７０）が電源オン状態とできることを特徴とする、請求項８に記載のナイトランプ（１００）。
【考案の詳細な説明】
【技術分野】
【０００１】
本考案は、夜間灯具に関し、特にナイトランプに関する。
【背景技術】
【０００２】
ナイトランプは、夜間に照明を提供するため用いられる装置である。通常、廊下や通路、寝室で用いられ、壁に固定される。近年、寝室でのナイトランプの使用がますます普及してきている。夜間に起床する人が点灯できるよう、ナイトランプは通常ベッドサイドに置かれる。
【０００３】
従来のナイトランプは、ユーザーが手動でスイッチをオンオフする必要のあるメカニカルスイッチを備える。しかしながら、ベッド上のユーザーは、手をのばしてスイッチを操作しなければならず、これはどう考えても不便である。音声により作動させるスイッチを用いるナイトランプも多数販売されている。この方法では、ユーザーは音を出すことによりナイトランプのスイッチをオンオフすることができるため、起き上がる必要がなくそれ相応に便利である。しかしながら、環境騒音があると、こうした音声作動のナイトランプは誤って作動しやすく、意図せずスイッチがオンオフすることがある。
【０００４】
さらに、昨今のナイトランプは多数の部品からなり、組付け工程が複雑である。その上、取付ねじを使うため見た目が悪い。また、こうした昨今のナイトランプを調整することに不慣れなユーザーは、明かりを制御し、調整することが簡単にはできない。
【考案の概要】
【０００５】
本考案は、ユーザーがたやすくスイッチをオンオフすることができ、放射光の調整可能な、改良ナイトランプを提供することを目的とする。また、このナイトランプは、構造が小型で見栄えがよい。
【０００６】
本考案においては、第１中空部を画定するとともに、平らな底部を有する壁部を備えた、可撓性を有する部分球体状の上部カバーと、リング体、該リング体の第１の側に配置されたランプキャップ、および上記リング体の第２の側に配置された中空円筒を有するベースリングと、第２中空部を画定し、合わせ面を有する部分球体状の底部カバーと、発光アセンブリとを有するナイトランプが提案される。上記ベースリングは、上記上部カバーおよび上記底部カバーと同時に係合するよう構成され、上記上部カバーの上記底部は、上記底部カバーの上記合わせ面に当接して、上記上部カバーと上記底部とが合わさって球体を完成させる。上記ベースリングの、上記リング体と上記ランプキャップが上記第１中空部内に位置する一方、上記中空円筒は上記第２中空部内に位置し、上記発光アセンブリは上記中空円筒内に位置している。
【図面の簡単な説明】
【０００７】
本考案を下記の図面を参照した非限定的な実施例により、以下の通り説明する。
【図１】本考案のナイトランプの分解斜視図。
【図２】本考案のナイトランプにおける、底部からみた上部カバーの斜視図。
【図３】図２における上部カバーの断面図。
【図４】本考案のナイトランプのベースリングの斜視図。
【図５】図４におけるベースリングの断面図。
【図６】本考案のナイトランプの底部カバーの斜視図。
【図７】図６における底部カバーの断面図。
【図８】本考案のナイトランプの組み付け状態での断面図。
【図９】本考案のナイトランプの組み付け状態での別の断面図。  全図面において、同一の参照符号は同一の構成要素を示し、縮尺率は正確でない。
【実施例】
【０００８】
図１は、本考案のナイトランプ１００の分解図である。図１に示されるように、ナイトランプ１００は、主として、上部カバー１０、ベースリング３０、底部カバー５０および発光アセンブリ９０を有する。発光アセンブリ９０は、主として、制御装置７０、ランプビード７８およびバッテリー８０を有し、これらは互いに電気的に接続されている。
【０００９】
図２および図３はそれぞれ、ナイトランプ１００における上部カバー１０の斜視図および断面図を示す。図２に示されるように、上部カバー１０は、可撓性を有するシリコーン材料でできており、部分楕円体などの実質的に部分球体の形状をなす。上部カバー１０の内面１２は、第１中空部１４を画定する。上部カバー１０の壁部１３は、その底部１５において径方向内側に延在し、環状係止溝２８が第１中空部１４内に形成される。底部１５は平面を有し、この平面は底部カバーの合わせ面６４と組み合わさる。これについては後述する。周方向に沿って延在する環状溝１６は、上記平面に形成されて、上記上部カバー１０の底部１５を外側部分１８と内側部分２０とに分割する。複数の突起２２は、内側部分２０に、好ましくは周方向に沿って等間隔に設けられる。８つの突起２２が図２に示されているが、突起２２の数は、実際のニーズに合わせて任意に選択可能であると容易に理解される。図３に示されるように、各突起２２は、その付け根部に径方向内側に延在する円形の隆起２５を有する。これについては後述する。
【００１０】
図４および図５はそれぞれ、ナイトランプ１００におけるベースリング３０の斜視図および断面図を示す。図４に示されるように、ベースリング３０は、リング体３２と、リング体３２から軸方向に沿って延在する中空円筒４０を有する。図５に示されるように、リング体３２には中空円筒４０の反対方向に、ドーム形状のランプキャップ３５が設けられる。ドーム形状のランプキャップ３５は、ランプビード７８（後述）による放射光を均一化する光均一化粉末を含んでおり、これにより柔らかな光が得られる。ドーム形状のランプキャップ３５は、ナイトランプ１００の第１中空部１４に収まるような大きさとされ、上部カバーの内面１２とは一定間隔がある（図８参照）。ランプキャップ３５は、例えば、超音波加熱溶融処理により、リング体３２と一体的に形成されることが望ましい。
【００１１】
中空円筒４０の外周には、径方向外側に突出する複数の舌片４２が設けられる。図４には、周方向に均等に配置された４つの舌片４２が示されている。しかしながら、舌片４２の数は、必要に応じ任意に選択可能であると容易に理解される。舌片４２はリング体３２から間隔をおいて配置されるため、舌片４２とリング体３２の間に環状凹部３７が形成される。舌片４２にはそれぞれ、その中央に少なくとも１つのノッチ４４が設けられているため、ベースリング３０と上部カバー１０を組み付ける際に、上記突起２２を底部カバー５０の対応する凹部６５に嵌入するためにそれぞれ対応するノッチ４４を通過させることができる。また、各舌片４２には、その両側に強度を増すためのリブ４５が設けられる。互いに隣り合う２つの舌片４２の間には、第１の歯状部４６が上記ベースリング３０の上記中空円筒４０の外周に設けられる。この作用については後述する。
【００１２】
図６および図７はそれぞれ、ナイトランプ１００における底部カバー５０の斜視図および断面図を示す。上記底部カバー５０は、ＡＢＳ樹脂のような硬質プラスティックからなる。底部カバー５０は、部分楕円体などの実質的に部分球体の形状をなし、ベースリング３０や上部カバー１０と組み付ける際に、底部カバー５０の合わせ面６４が上部カバー１０の底部１５と当接して、完全な楕円体を形成して見栄えの良い外観を呈する。この場合、ベースリング３０は、図８、図９に示されるように、上部カバー１０と底部カバー５０の内側に完全に隠される。
【００１３】
上記底部カバー５０の内面５２は、第２中空部５４を画定し、そこに複数の支柱５５が配置される。発光アセンブリ９０の制御装置７０は、支柱５５の上端で支えられる。記載された実施例においては、上記制御装置はプリント回路基板として構成される。各支柱５５は、中空であって内側にねじ山があるのが望ましい。これにより、図９に示されるように、制御装置７０は支柱５５にネジ７２で固定することができる。ランプビード７８は、好ましくは低ルーメンのランプビードであって、発光用の制御装置７０に取り付けられる。
【００１４】
発光アセンブリ９０のバッテリー８０は、支柱５５により画定された空間に配置され、制御装置７０に動力を供給する（図９）。このように、バッテリー８０は支柱５５により形成された空間に完全に収容されるため、底部カバー５０の第２中空部５４の空間を十分に活用することができ、ランプの構造は全体として非常に小型となる。一実施例として、バッテリー８０は、安全性の高い小型のポリマーバッテリであることが好ましい。図示されない一実施例として、底部カバー５０の第２中空部５４に、バッテリー８０を充電するための充電インターフェースがさらに設けられる。
【００１５】
制御装置７０は、ナイトランプ１００を制御するために用いられる。この詳細は後述する。図１、図８および図９に示されるように、制御装置７０には導電性バネ７５が設けられ、その上端はランプキャップ３５を貫いて上部カバー１０の第１中空部１４に入る。可撓性を有する上部カバー１０は押された際、導電性バネ７５に当接させられる。
【００１６】
図７に示されるように、上記底部カバー５０の合わせ面６４は平面として形成され、合わせ面６４から環状垂直壁６２が軸方向に延在する。底部カバー５０の第２中空部５４には、複数の接続部材５８も設けられる。接続部材５８は、周方向に均等に設けられ、その数は中空円筒４０の外面にある第１の歯状部４６と同数である。各接続部材５８は、その内側に弧状板材５９と、弧状板材５９を環状垂直壁６２とつなぐ複数のリブ５７とを有する。この構造においては、複数の凹部６５が弧状板材５９、環状垂直壁６２およびリブ５７によって画定され、上部カバー１０の突起２２を個々に受け止める。各弧状板材５９の内面には、さらに第２の歯状部６０が設けられる。
【００１７】
図７に示されるように、底部カバー５０の底部には開口部９２が設けられ、この開口部にはプラグ９５が取り付けられる（図１参照）。プラグ９５を取り外すことによって、充電インターフェースを露出させることができ、バッテリー８０の充電に使用することができる。プラグ９５は、例えばシリコーンなどの適切な材質のものでよいこと、その形状は底部カバー５０の外面に合わせることにより滑らかで一体的な表面をなすことは容易に理解される。
【００１８】
図８、図９は、本考案のナイトランプ１００の組付け状態を異なる角度で示す２つの断面図である。組付けの際には、ベースリング３０が最初に上部カバー１０の第１中空部１４に配置される。この際、図９に示されるように、ベースリング３０のリング体３２が上部カバー１０の第１中空部１４に入って、環状係止溝２８と係合する。同時に、上記上部カバー１０の底部１５がベースリング３０におけるリング体３２と舌片４２の間に形成された上記環状凹部３７に挿入される。すなわち、リング体３２が上部カバー１０の環状係止溝２８と係合する一方、他方で上部カバー１０の底部１５がベースリング３０の環状凹部３７と係合することにより、効果的で安定した位置決めがなされる。このように、上部カバー１０とベースリング３０は確実に組付けられる。
【００１９】
その後、上部カバー１０およびベースリング３０により形成されたサブアセンブリが底部カバー５０に取り付けられる。この時、図８に示されるように、ベースリング３０の中空円筒４０は、底部カバー５０の第２中空部５４に挿入され、ベースリング３０の中空円筒４０の第１の歯状部４６は、底部カバー５０の接続部材５８の第２の歯状部６０と係合する。この際、上部カバー１０の突起２２はそれぞれ、ベースリング３０の舌片４２におけるノッチ４４を通過して、底部カバー５０の凹部６５に入り、底部カバー５０の環状垂直壁６２は上部カバー１０の環状溝１６に入る。したがって、本考案によれば、接続部材５８の特定の構造によって、第１の歯状部４６と第２の歯状部６０間の係合と突起２２と凹部６５間の係合を同時に行うことができる。こうした２箇所での係合は、環状垂直壁６２と環状溝１６間の係合と相まって、装置全体がしっかりと組み付けられることを可能にする。
【００２０】
さらに、各突起２２は、外方に突出する円形の隆起２５を有し、この隆起２５は、上部カバー１０とベースリング３０によって形成されたサブアセンブリが底部カバー５０から抜けてしまうことを防止するアンダーカットとして用いられ得る。このようにして、アセンブリの安定性が改善する。
【００２１】
図８に示されるように、組付けられた状態では、ベースリング３０の中空円筒４０は、底部カバー５０の第２中空部５４に挿入されている。このようにして、底部カバー５０の支柱５５、制御装置７０、バッテリー８０およびランプビード７８はすべて中空円筒４０とランプキャップ３５内に収容される。こうした構造では、装置内の空間が有効活用され、装置は全体として非常に小型となる。
【００２２】
組付け後には、ベースリング３０は上部カバー１０と底部カバー５０の内側に完全に隠される。このように形成されたナイトランプ１００は、露出部品のまったくない完全な楕円体を呈する。そのため、本考案によるナイトランプ１００は外観が美しく、持ち運びに便利である。
【００２３】
ナイトランプ１００の形状は一例としての楕円体で説明しているが、どんな形状の球体とすることもできることは容易に理解される。さらに重要なこととして、この文脈における「球体」という表現には、角錐、円錐、直方体等、どんな形状の物も含むこととする。さらに、本考案によるナイトランプ１００の上部カバー１０および底部カバー５０は、共に組付けが可能でありさえすれば別の形状であってよい。例えば、図示されない実施例として、上部カバー１０は角錐であって、底部カバー５０は直方体である。
【００２４】
以下に、本考案によるナイトランプ１００を制御する方法について説明する。
【００２５】
初期状態で、可撓性を有する上部カバー１０を押し、内面１２を上部カバー１０の第１中空部１４の方に延在する導電性バネ７５と接触させることにより、制御装置７０（すなわち、プリント回路基板）は電源オン状態となり、この状態で、制御装置７０は上記ランプビード７８を制御することが可能である。制御装置７０は、状態センサを含む。状態センサの具体例は、図１に極めて模式的に示されているフリップスイッチ８２である。フリップスイッチ８２は、例えば、市販されている２重ビード型フリップスイッチでよく、これはプリント回路基板に集積できる。ナイトランプ１００が、例えば、底部カバー５０が下向きであるといった第１状態にあるとき、フリップスイッチ８２は第１の命令を送信し、ランプビード７８は光を放たない。また一方、ナイトランプ１００が、例えば、底部カバー５０が上向きであるといった第２状態に変わったとき、フリップスイッチ８２は第２の命令を送信し、ランプビード７８は光を放ち始める。
【００２６】
好適な実施例として、制御装置７０は、２つのフリップスイッチ８２を有し、第１のフリップスイッチは、制御装置７０（例えば、プリント回路基板）の前面に取り付けられ、第２のフリップスイッチは制御装置７０の背面に取り付けられる。この場合、第１のフリップスイッチは、ナイトランプ１００の第１状態（すなわち、底部カバー５０が下向きである）の検知専用とされ、第２のフリップスイッチは、ナイトランプ１００の第２状態（すなわち、底部カバー５０が上向きである）の検知専用とされる。ナイトランプ１００が第１状態にあるとき、第１のフリップスイッチは第１の命令を送信して、光を放たないようランプビード７８を作動させる。ナイトランプ１００が第２状態にあるとき、第２のフリップスイッチは第２の命令を送信して、光を放つようランプビード７８を作動させる。このようにして、状態を検知する状態センサの精度は、有効に向上し、誤作動を回避できる。
【００２７】
図示されない実施例において、上記状態センサはジャイロスコープである。
【００２８】
ナイトランプ１００に状態センサを設けることにより、ナイトランプ１００は、ユーザーがその向きを変えることで容易に点灯する。この際、ユーザーが手を伸ばしてメカニカルスイッチを作動させる必要はなく、また、背景騒音による不測の作動は起こらない。それゆえ、本考案によるナイトランプ１００は操作が簡単である。
【００２９】
最後に、上記の記載は本考案の好適な実施例を述べているに過ぎず、本考案を限定するものではない。本考案について、前述の実施例を参照し詳細に記述したが、当業者は、前述の実施例に記載された技術的解決法を変更することができ、また等価の技術的特徴を置き換えることができる。本考案の主旨の範囲内でなされるいかなる変更、等価物との置き換え、改良も本考案の保護範囲内に含まれるものとする。
【図１】
0003226750.tif 000003
【図２】
0003226750.tif 000004
【図３】
0003226750.tif 000005
【図４】
0003226750.tif 000006
【図５】
0003226750.tif 000007
【図６】
0003226750.tif 000008
【図７】
0003226750.tif 000009
【図８】
0003226750.tif 000010
【図９】
0003226750.tif 000011